(57)【要約】【課題】  接続管に受口長さ標線や差込長さ標線を配管のサイズ毎に簡単に記入できる配管接合用標線記入治具を提供するとともに、この配管接合用標線記入治具を使用した配管の接合方法を提供する。【解決手段】  配管接合用標線記入治具１１は、長方形状の基板１１の長手方向の一端に基板側の面が第１基準面１３となる係止部１４を突設し、第１基準面１３からの距離が受口の長さに対応した位置に受口長さ標線記入用スリット１５ａ，１５ｂ，１５ｃ，１５ｄを設けるとともに、基板１１の端面を第２基準面１９とし、この第２基準面１９からの距離が受口の長さの１／３の長さに対応した位置に差込長さ標線記入用スリット１７ａ，１７ｂ，１７ｃ，１７ｄ，１７ｅを設け、第１基準面に対して直角な方向に軸線記入用スリット１６を設けている。【選択図】  図１
2006189089.tif 000002
【特許請求の範囲】
【請求項１】
管継手の受口内に挿入する接続管の外周面に挿入量の基準となる標線を記入する際に用いる配管接合用標線記入治具であって、長方形状の基板の長手方向の一端に基板側の面が第１基準面となる係止部を突設し、前記第１基準面からの距離が前記受口の長さに対応した基板位置に受口長さ標線記入用スリットを前記第１基準面と平行に設けるとともに、前記基板の長手方向のいずれか一方の端面を第２基準面として該基準面からの距離が前記受口の長さの１／３の長さに対応した基板位置に差込長さ標線記入用スリットを前記第２基準面と平行に設けたことを特徴とする配管接合用標線記入治具。
【請求項２】
前記係止部の近傍と前記受口長さ標線記入用切欠部との間に、前記第１基準面に対して直角な方向の軸線記入用スリットを設けたことを特徴とする請求項１記載の配管接合用標線記入治具。
【請求項３】
前記受口長さ標線記入用スリットは、サイズが異なる複数の受口の長さのそれぞれに対応した位置の複数箇所に設けられるとともに、各受口長さ標線記入用スリットの近傍に、各受口長さ標線記入用スリットが対応するサイズを表すサイズ表示がそれぞれ設けられ、前記差込長さ標線記入用スリットは、サイズが異なる複数の受口の長さの１／３の長さのそれぞれに対応した位置の複数箇所に設けられるとともに、各差込長さ標線記入用スリットの近傍に、各差込長さ標線記入用スリットが対応するサイズを表すサイズ表示がそれぞれ設けられていることを特徴とする請求項２記載の配管接合用標線記入治具。
【請求項４】
前記受口長さ標線記入用スリットの近傍に設けられるサイズ表示は前記係止部の突出方向とは逆方向の基板面に設けられ、前記差込長さ標線記入用スリットの近傍に設けられるサイズ表示は前記係止部の突出方向と同方向の基板面に設けられていることを特徴とする請求項３記載の配管接合用標線記入治具。
【請求項５】
請求項４記載の配管接合用標線記入治具を使用して配管を接合する方法であって、前記第１基準面を接続管の端面に当接させて前記基板を接続管の外周面に設置した状態で配管のサイズに対応した前記受口長さ標線記入用スリットを通して受口長さ標線を接続管の外周面に記入するとともに、前記軸線記入用スリットを通して軸線を接続管の外周面に記入する操作と、接続管の端部を前記受口内に軽く挿入した状態で、前記第２基準面を受口の端面に当接させて前記基板を接続管の外周面に設置し、配管のサイズに対応した前記差込長さ標線記入用スリットを通して差込長さ標線を接続管の外周面でかつ前記操作で記入した軸線上又はその近傍に記入する操作とを行い、接続管の外周面に記入した受口長さ標線と差込長さ標線の位置を比較して差込長さ標線が受口長さ標線よりも接続管の端面から遠い位置にあるときには管継手又は接続管を交換し、差込長さ標線が受口長さ標線より接続管の端面に近い位置にあるときには、受口の内周面及び接続管の外周面における端面から差込長さ標線までの間に接着剤を塗布し、受口端面が前記差込長さ標線を超える位置まで接続管の端部を受口に挿入して管継手と接続管とを接合することを特徴とする配管の接合方法。
【発明の詳細な説明】
【技術分野】
【０００１】
本発明は、配管接合用標線記入治具に関し、詳しくは、塩化ビニル樹脂製管継手の受口に塩化ビニル樹脂製接続管を挿入して接着接合（ＴＳ接合）する際に使用する配管接合用標線記入治具及び該配管接合用標線記入治具を使用して管継手と接続管とを確実に接合するための配管の接合方法に関する。
【背景技術】
【０００２】
水道用（給水用）配管において、塩化ビニル樹脂製管継手の受口に塩化ビニル樹脂製接続管の端部を挿入して接着接合（ＴＳ接合）する際には、受口及び接続管にそれぞれ寸法の許容差があるため、接続管の端面から受口の長さに等しい位置の外周面に受口長さ標線を記入するとともに、接続管の端部を前記受口内に軽く挿入した状態で受口の端面の位置（ゼロポイント）を接続管の外周面に記入し、この受口の端面位置から所定寸法の位置に接着代（差込長さ）を示す標線を記入した後、前記受口長さ標線と受口の端面位置を示す標線との関係から接合の可否を判定し、合格の場合には受口内周面と接続管の端面から接着代を示す標線までの間の外周面に接着剤を塗布し、受口内に接続管を挿入して両者を接合するようにしている。
【０００３】
また、ＴＳ接合を行う接続管の外周面に、該接続管のサイズに対応した挿入量の基準となる標線を簡単に記入することができる治具が提案されている（例えば、特許文献１参照。）。
【特許文献１】特開２００１−３４９４６９号公報
【発明の開示】
【発明が解決しようとする課題】
【０００４】
上述の各標線の記入は、受口長さが配管のサイズによって異なり、受口端面から接着代までの寸法もサイズによって異なるため、受口長さ等の数値をサイズ毎に確認しなければならず、さらに、スケールを使用して所定位置に標線を記入するのも面倒で手間が掛かる作業である。
【０００５】
また、挿入量の基準となる標線を記入するものでは、受口には関係なく接続管単独で標線を記入するため、受口と接続管の寸法差によっては十分な接合力が得られなくなるおそれがある。
【０００６】
そこで本発明は、接続管の外周面に受口長さを示す標線や差込長さを示す標線を配管のサイズ毎に簡単に記入（マーキング）することができる配管接合用標線記入治具を提供するとともに、この配管接合用標線記入治具を使用して十分な接合強度で管継手と接続管とを確実に接合することができる配管の接合方法を提供することを目的としている。
【課題を解決するための手段】
【０００７】
上記目的を達成するため、本発明の配管接合用標線記入治具は、管継手の受口内に挿入する接続管の外周面に挿入量の基準となる標線を記入する際に用いる配管接合用標線記入治具であって、長方形状の基板の長手方向の一端に基板側の面が第１基準面となる係止部を突設し、前記第１基準面からの距離が前記受口の長さに対応した基板位置に受口長さ標線記入用スリットを前記第１基準面と平行に設けるとともに、前記基板の長手方向のいずれか一方の端面を第２基準面として該基準面からの距離が前記受口の長さの１／３の長さに対応した基板位置に差込長さ標線記入用スリットを前記第２基準面と平行に設けたことを特徴とし、さらに、前記係止部の近傍と前記受口長さ標線記入用切欠部との間に前記第１基準面に対して直角な方向の軸線記入用スリットを設けたことを特徴としている。
【０００８】
また、本発明の配管接合用標線記入治具は、前記受口長さ標線記入用スリットが、サイズが異なる複数の受口の長さのそれぞれに対応した位置の複数箇所に設けられるとともに、各受口長さ標線記入用スリットの近傍に、各受口長さ標線記入用スリットが対応するサイズを表すサイズ表示がそれぞれ設けられ、前記差込長さ標線記入用スリットもサイズが異なる複数の受口の長さの１／３の長さのそれぞれに対応した位置の複数箇所に設けられるとともに、各差込長さ標線記入用スリットの近傍に、各差込長さ標線記入用スリットが対応するサイズを表すサイズ表示がそれぞれ設けられていることを特徴としている。
【０００９】
さらに、前記受口長さ標線記入用スリットの近傍に設けられるサイズ表示は前記係止部の突出方向とは逆方向の基板面に設けられ、前記差込長さ標線記入用スリットの近傍に設けられるサイズ表示は前記係止部の突出方向と同方向の基板面に設けられていることを特徴としている。
【００１０】
また、前記配管接合用標線記入治具を使用した本発明の配管の接合方法は、前記第１基準面を接続管の端面に当接させて前記基板を接続管の外周面に設置した状態で配管のサイズに対応した前記受口長さ標線記入用スリットを通して受口長さ標線を接続管の外周面に記入するとともに、前記軸線記入用スリットを通して軸線を接続管の外周面に記入する操作と、接続管の端部を前記受口内に軽く挿入した状態で、前記第２基準面を受口の端面に当接させて前記基板を接続管の外周面に設置し、配管のサイズに対応した前記差込長さ標線記入用スリットを通して差込長さ標線を接続管の外周面でかつ前記操作で記入した軸線上又はその近傍に記入する操作とを行い、接続管の外周面に記入した受口長さ標線と差込長さ標線の位置を比較して差込長さ標線が受口長さ標線よりも接続管の端面から遠い位置にあるときには管継手又は接続管を交換し、差込長さ標線が受口長さ標線より接続管の端面に近い位置にあるときには、受口の内周面及び接続管の外周面における端面から差込長さ標線までの間に接着剤を塗布し、受口端面が前記差込長さ標線を超える位置まで接続管の端部を受口に挿入して管継手と接続管とを接合することを特徴としている。
【発明の効果】
【００１１】
本発明の配管接合用標線記入治具によれば、配管のサイズに対応した受口長さ標線及び差込長さ標線を簡単かつ確実に接続管の外周面に記入することができる。そして、前記配管接合用標線記入治具を使用して標線を記入することにより、受口と接続管との接合の可否の判定を行うことができ、差込長さ標線を基準として接着剤の塗布範囲も確実に確認できるとともに、受口への接続管の差し込み量も容易に確認できる。
【発明を実施するための最良の形態】
【００１２】
図１及び図２は本発明の配管接合用標線記入治具の第１形態例を示すもので、図１は表側から見た斜視図、図２は裏側から見た斜視図である。
【００１３】
まず、図１に示すように、配管接合用標線記入治具１１は、合成樹脂製あるいは金属製の薄板からなる長方形状の基板１２の長手方向の一端に基板側の面が第１基準面１３となる係止部１４を基板１１と直角方向に突設するとともに、基板１２の所定位置に、接合する配管の各サイズにそれぞれ対応した受口長さ標線記入用スリット１５ａ，１５ｂ，１５ｃ，１５ｄと、軸線記入用スリット１６と、差込長さ標線記入用スリット１７ａ，１７ｂ，１７ｃ，１７ｄ，１７ｅを設けたものである。
【００１４】
前記受口長さ標線記入用スリット１５ａ，１５ｂ，１５ｃ，１５ｄは、前記第１基準面１３からの距離が各サイズの受口長さに対応した基板位置にそれぞれ前記第１基準面１３と平行に設けられるものであって、前記第１基準面１３に対して直角な方向に設けられる軸線記入用スリット１６に交わる形状となっている。また、前記軸線記入用スリット１６は、本形態例では、前記係止部１４の近傍と、該係止部１４から最も離れた位置にある受口長さ標線記入用スリット１５ｄとの間にわたって設けられている。
【００１５】
各受口長さ標線記入用スリットにおける第１基準面１３からの距離は、第１基準面１３に近いスリットから順に、受口長さ標線記入用スリット１５ａはサイズが５０Ａ及び７５Ａの受口の長さに、受口長さ標線記入用スリット１５ｂはサイズが１００Ａの受口の長さに、受口長さ標線記入用スリット１５ｃはサイズが１２５Ａの受口の長さに、受口長さ標線記入用スリット１５ｄはサイズが１５０Ａの受口の長さに、それぞれ対応している。
【００１６】
基板１１における係止部１４の突出方向と逆方向の基板面である表面１１ａには、各受口長さ標線記入用スリット１５ａ，１５ｂ，１５ｃ，１５ｄの近傍に、各スリットに対応するサイズを表すサイズ表示１８ａと受口長さ標線を記入する際に使用する面であることを示す面表示１８ｂとがそれぞれ設けられている。
【００１７】
前記差込長さ標線記入用スリット１７ａ，１７ｂ，１７ｃ，１７ｄ，１７ｅは、基板１１の長手方向の一方の端面である係止部１４側の端面を第２基準面１９とし、該第２基準面１９からの距離が各サイズの受口の長さの１／３の長さに対応した基板位置にそれぞれ前記第２基準面１９と平行に設けられている。
【００１８】
各差込長さ標線記入用スリットにおける第２基準面１９からの距離は、第２基準面１９に近いスリットから順に、差込長さ標線記入用スリット１７ａはサイズが５０Ａの受口の長さの１／３に、差込長さ標線記入用スリット１７ｂはサイズが７５Ａの受口の長さの１／３に、差込長さ標線記入用スリット１７ｃはサイズが１００Ａの受口の長さの１／３に、差込長さ標線記入用スリット１７ｄはサイズが１２５Ａの受口の長さの１／３に、差込長さ標線記入用スリット１７ｅはサイズが１５０Ａの受口の長さの１／３に、それぞれ対応している。
【００１９】
そして、図２に示すように、基板１１における係止部１４の突出方向と同方向の基板面である裏面１１ｂには、各差込長さ標線記入用スリット１７ａ，１７ｂ，１７ｃ，１７ｄ，１７ｅの近傍に、各スリットに対応するサイズを表すサイズ表示２０ａと差込長さ標線を記入する際に使用する面であることを示す面表示２０ｂとがそれぞれ設けられている。
【００２０】
上述の各スリットの幅は適当に設定することができるが、接続管の外周面に標線を記入する際に使用する油性フェルトペン等の筆記具にて標線を所定位置に確実に見やすく記入できる幅に設定すればよい。また、受口長さ標線記入用スリット及び差込長さ標線記入用スリットの長さも適当に設定できるが、両者を区別するために異なる長さに設定しておくことが好ましい。
【００２１】
次に、図３乃至図１１を参照して本発明の配管の接合方法を説明する。図３乃至図１１は、前記第１形態例に示した配管接合用標線記入治具を使用して管継手と接続管とを接合する手順を示すもので、図３は受口長さ標線及び接続管の軸線に対応した直線を接続管の外周面に記入している状態を示す斜視図、図４は接続管の外周面に記入された受口長さ標線及び軸線の状態を示す斜視図、図５は接続管の端部を前記受口内に軽く挿入した状態を示す斜視図、図６は差込長さ標線を接続管の外周面に記入している状態を示す斜視図、図７は接続管の外周面に記入された受口長さ標線、軸線及び差込長さ標線の状態を示す斜視図、図８は接続管の端部を前記受口内に軽く挿入したときの受口長さ標線と差込長さ標線との位置関係が標準的な状態のときを示す平面図、図９は同じく接続管の端部を前記受口内に軽く挿入したときの受口長さ標線と差込長さ標線との位置関係が不的確（接合不可）な状態のときを示す平面図、図１０は接着剤を塗布した状態を示す一部断面平面図、図１１は受口に接続管を挿入している状態を示す一部断面平面図である。
【００２２】
まず、図３及び図４に示すように、前記第１基準面１３を接続管２１の接合側の端面２１ａに当接させた状態で前記基板１１を接続管２１の外周面に設置する。このとき、係止部１４の突出方向が管内周側を向くことから、基板１１の裏面１１ｂが接続管２１の外周面に当接し、表面１１ａの各表示１８ａ，１８ｂが手前を向いた状態となる。この状態で、油性フェルトペン等の筆記具２２を使用し、配管のサイズに対応した受口長さ標線記入用スリット、例えばサイズが５０Ａの場合には受口長さ標線記入用スリット１５ａを通して受口長さ標線２３を接続管２１の外周面に記入するとともに、前記軸線記入用スリット１６を通して軸線２４を接続管２１の外周面に記入する。
【００２３】
次に、図５，図６及び図７に示すように、接続管２１の端部を管継手２５の受口内に軽く差し込んで止まる位置まで挿入した状態、すなわち、ゼロポイントの状態で、基板１１の一端の前記第２基準面１９を管継手２５の受口端面２５ａに当接させて基板１１を接続管２１の外周面に設置する。このとき、係止部１４を管内周側に向けると基板１１の係止部側が管外周面から浮いてしまうので、基板１１の表面１１ａを接続管２１の外周面に当接させ、裏面１１ｂの各表示２０ａ，２０ｂが手前を向いた状態とする。この状態で、配管のサイズに対応した差込長さ標線記入用スリット、すなわち、サイズが５０Ａの場合には差込長さ標線記入用スリット１７ａを通して筆記具２２により接続管２１の外周面でかつ前記操作で記入した軸線２４上又はその近傍に差込長さ標線２６を記入する。
【００２４】
これにより、受口端面２５ａから受口の長さの１／３に相当する位置に差込長さ標線２６が記入されたことになる。なお、接続管２１の端部を管継手２５の受口内に差し込む際に、硬くて僅かしか差し込めない場合には、接続管２１の寸法が大きくて受口の寸法が小さく、両者の寸法が接合に適していない状態であるから、この時点で接続管２１又は管継手２５を交換する。
【００２５】
次に、記入した受口長さ標線２３の位置と差込長さ標線２６の位置とを比較する。図８に示すように、差込長さ標線２６の位置が受口長さ標線２３よりも接続管２１の挿入端側に位置している場合には接合可能な状態であるが、図９に示すように、差込長さ標線２６の位置が受口長さ標線２３よりも接続管２１の端面から遠い位置にあるときには、接続管２１の寸法が小さくて受口の寸法が大きく、両者の寸法が接合に適していない状態であるから、接続管２１又は管継手２５を交換する。このとき、受口長さ標線２３及び差込長さ標線２６を軸線２４上又はその近傍に記入することにより、両者の位置の比較を容易に行うことができる。
【００２６】
接合可能を確認したら、図１０に示すように、管継手２５の受口２５ｂの内周面及び接続管２１の外周面における端面から差込長さ標線２６までの間に接着剤２７をそれぞれ塗布し、図１１に示すように、受口端面２５ａが前記差込長さ標線２６を超える位置まで接続管２１の端部を受口２５に挿入して管継手２５と接続管２１とを接合する。これにより、管継手２５と接続管２１とを確実に接合できたことになる。
【００２７】
図１２は本発明の配管接合用標線記入治具の第２形態例を示す平面図である。なお、以下の説明において、前記第１形態例で示した配管接合用標線記入治具における構成要素と同一の構成要素には、それぞれ同一符号を付して詳細な説明は省略する。
【００２８】
本形態例に示す配管接合用標線記入治具３１は、前記第１形態例と同様に、基板１２の一端に突設した係止部１４の基板側の面を第１基準面１３として受口長さ標線記入用スリット１５ａ，１５ｂ，１５ｃ，１５ｄを設けるとともに軸線記入用スリット１６を設け、差込長さ標線記入用スリット１７ａ，１７ｂ，１７ｃ，１７ｄ，１７ｅは、係止部１４の反対側の端面を第２基準面１９として所定の位置に設けている。また、各表示１８ａ、１８ｂ，２０ａ、２０ｂは、基板１１の表面１１ａ側にそれぞれ設けられている。
【００２９】
また、前記受口長さ標線記入用スリットや軸線記入用スリットは基板１１の一側方に変位して配置され、差込長さ標線記入用スリットは基板１１の他側方に変位して配置されるとともに、係止部１４は、基板１１の幅方向の半分程度の寸法で、受口長さ標線記入用スリットや軸線記入用スリットを設けた一側方に片寄せて設けられている。
【００３０】
この配管接合用標線記入治具３１を使用して受口長さ標線２３及び軸線２４を接続管２１の外周面に記入するときには、前記同様に、表面１１ａを手前側にして接続管の接続側端面に第１基準面１３を当接させた状態で行う。また、差込長さ標線２６を記入するときには、表面１１ａを手前側にしたまま、配管接合用標線記入治具３１を逆方向に向け、第２基準面１９を受口端面に当接させた状態で行う。
【００３１】
このとき、係止部１４を基板幅方向の一側方に、差込長さ標線記入用スリットを基板幅方向の他側方に設けているので、差込長さ標線２６を記入する際に係止部１４の突出端が接続管外周面に当たらない位置に配管接合用標線記入治具３１を設置することができるので、基板１１の係止部１４側が接続管外周面から浮き上がることがなく、基板１１の裏面全体を接続管外周面に当接させた状態で差込長さ標線を記入できる。
【００３２】
図１３は本発明の配管接合用標線記入治具の第３形態例を示す平面図である。本形態例は配管のサイズ毎に配管接合用標線記入治具を形成したものであって、本形態例では配管のサイズが５０Ａに対応した配管接合用標線記入治具を示している。
【００３３】
すなわち、本形態例に示す配管接合用標線記入治具４１は、係止部１４の第１基準面１３から６３ｍｍの位置に受口長さ標線記入用スリット１５ａを設けるとともに、係止部１４の外面である第２基準面１９から２１ｍｍの位置に差込長さ標線記入用スリット１７ａを設けている。
【図面の簡単な説明】
【００３４】
【図１】本発明の配管接合用標線記入治具の第１形態例を示す表側から見た斜視図である。
【図２】同じく裏側から見た斜視図である。
【図３】受口長さ標線及び軸線を接続管の外周面に記入している状態を示す斜視図である。
【図４】接続管の外周面に記入された受口長さ標線及び軸線の状態を示す斜視図である。
【図５】接続管の端部を前記受口内に軽く挿入した状態を示す斜視図である。
【図６】差込長さ標線を接続管の外周面に記入している状態を示す斜視図である。
【図７】接続管の外周面に記入された受口長さ標線、軸線及び差込長さ標線の状態を示す斜視図である。
【図８】接続管の端部を前記受口内に軽く挿入したときの受口長さ標線と差込長さ標線との位置関係が標準的な状態のときを示す平面図である。
【図９】同じく接続管の端部を前記受口内に軽く挿入したときの受口長さ標線と差込長さ標線との位置関係が不的確な状態のときを示す平面図である。
【図１０】接着剤を塗布した状態を示す一部断面平面図である。
【図１１】受口に接続管を挿入している状態を示す一部断面平面図である。
【図１２】本発明の配管接合用標線記入治具の第２形態例を示す平面図である。
【図１３】本発明の配管接合用標線記入治具の第３形態例を示す平面図である。
【符号の説明】
【００３５】
１１，３１，４１…配管接合用標線記入治具、１１ａ…表面、１１ｂ…裏面、１２…基板、１３…第１基準面、１４…係止部、１５ａ，１５ｂ，１５ｃ，１５ｄ…受口長さ標線記入用スリット、１６…軸線記入用スリット、１７ａ，１７ｂ，１７ｃ，１７ｄ，１７ｅ…差込長さ標線記入用スリット、１８ａ…サイズ表示、１８ｂ…面表示、１９…第２基準面、２０ａ…サイズ表示、２０ｂ…面表示、２１…接続管、２１ａ…端面、２２…筆記具、２３…受口長さ標線、２４…軸線、２５…管継手、２５ａ…受口端面、２５ｂ…受口、２６…差込長さ標線、２７…接着剤
【図１】
2006189089.tif 000003
【図２】
2006189089.tif 000004
【図３】
2006189089.tif 000005
【図４】
2006189089.tif 000006
【図５】
2006189089.tif 000007
【図６】
2006189089.tif 000008
【図７】
2006189089.tif 000009
【図８】
2006189089.tif 000010
【図９】
2006189089.tif 000011
【図１０】
2006189089.tif 000012
【図１１】
2006189089.tif 000013
【図１２】
2006189089.tif 000014
【図１３】
2006189089.tif 000015